(57)【特許請求の範囲】
【請求項１】
電気機器（１２）への放電、および電力系統（１１、１１ａ）あるいは発電部（１３）からの電力の充電を可能とする電池（１２０）を備える電池装置において、
前記電池（１２０）が置かれる電池設置部（１３０）と、
前記電池設置部（１３０）から下方の床面（１５）に向けて延びて、前記電池設置部（１３０）を支える複数の脚部（１５０）と、
複数の前記脚部（１５０）の上下方向の中間部を水平方向に接続する底板部（１６０）とを備え、
前記電池（１２０）、および前記電池設置部（１３０）は、ケース（１１０）内に収容されており、
前記底板部（１６０）は、前記ケース（１１０）の底部を形成しており、
前記電池（１２０）の前面（１２１）には、前記電池（１２０）の内部圧力に応じて開放される電池圧力弁（１２２）が設けられており、
前記電池（１２０）および前記電池設置部（１３０）と、前記電池（１２０）の前面（１２１）と対向する前記ケース（１１０）の壁部（１１３）との間には、所定間隔を有する隙間（１１６）が形成されており、
前記壁部（１１３）は、前記ケース（１１０）に対して着脱可能となっており、
前記底板部（１６０）の前記壁部（１１３）に対向する部位には、上側に向けて縁立てされた縁立て部（１６１）が形成されていることを特徴とする電池装置。
【請求項２】
前記隙間（１１６）は、前記電池圧力弁（１２２）が開き、前記電池（１２０）内部からの液が前記電池（１２０）の外部に漏れた際に、前記液が前記隙間（１１６）を通過して、前記底板部（１６０）まで落下可能となるように形成されていることを特徴とする請求項１に記載の電池装置。
【請求項３】
複数の前記脚部（１５０）のそれぞれは、長手方向に分割された第１脚部（１５１）と第２脚部（１５２）とから形成されており、
それぞれの前記第１脚部（１５１）と前記第２脚部（１５２）は、前記底板部（１６０）を挟むようにして前記底板部（１６０）に接合されていることを特徴とする請求項１または請求項２に記載の電池装置。
【請求項４】
前記底板部（１６０）には、前記電池圧力弁（１２２）からの液漏れを検出する液漏れ検出部（１７０）が設けられたことを特徴とする請求項１〜請求項３のいずれか１つに記載の電池装置。
【請求項５】
前記底板部（１６０）の上面には、耐酸性マット（１６２）が設けられたことを特徴とする請求項１〜請求項４のいずれか１つに記載の電池装置。
【請求項６】
前記電池（１２０）の放電あるいは充電を制御する電気部品（１４０）を備えており、
前記電気部品（１４０）は、前記ケース（１１０）内において、前記電池（１２０）よりも上側に配置されていることを特徴とする請求項１〜請求項５のいずれか１つに記載の電池装置。
【発明の詳細な説明】
【技術分野】
【０００１】
本発明は、例えば住宅用の電力授受に用いて好適な電池装置に関するものである。
【背景技術】
【０００２】
従来の電池装置として、例えば、特許文献１に示されるものが知られている。特許文献１の電池装置（電力貯蔵装置）は、インバータ、蓄電池、および蓄電池制御手段等を備えている。蓄電池制御手段は、住宅における電気機器による電力消費量と、自家発電装置による電力発電量とに基づいて、蓄電池における充電あるいは放電の制御を行うようになっている。
【先行技術文献】
【特許文献】
【０００３】
【特許文献１】特開２００８−１８２８５１号公報
【発明の概要】
【発明が解決しようとする課題】
【０００４】
しかしながら、特許文献１では、電池装置の具体的な形状に関する記載は無い。例えば、住宅用等の施設で使用する電池装置については、床下浸水時、積雪時等の蓄電池への水の浸入による破損防止を考慮しておく必要がある。
【０００５】
一般的な戸建て住宅において、床下浸水を考慮すると、蓄電池に対しては、長い脚部を設けた支持により、床面から蓄電池を嵩上げした設置が必要であると考えられる。しかしながら、単に脚部を延ばしたのみの設置構造では、蓄電池の重心位置が上がり、蓄電池の重量や地震等に対する脚部自身の強度確保が困難となる。
【０００６】
本発明の目的は、上記問題に鑑み、蓄電池に対する嵩上げ設置を行った場合でも、充分な強度確保を可能とする電池装置を提供することにある。
【課題を解決するための手段】
【０００７】
本発明は上記目的を達成するために、以下の技術的手段を採用する。
【０００８】
請求項１に記載の発明では、電気機器（１２）への放電、および電力系統（１１、１１ａ）あるいは発電部（１３）からの電力の充電を可能とする電池（１２０）を備える電池装置において、
電池（１２０）が置かれる電池設置部（１３０）と、
電池設置部（１３０）から下方の床面（１５）に向けて延びて、電池設置部（１３０）を支える複数の脚部（１５０）と、
複数の脚部（１５０）の上下方向の中間部を水平方向に接続する底板部（１６０）とを備え、
電池（１２０）、および電池設置部（１３０）は、ケース（１１０）内に収容されており、
底板部（１６０）は、ケース（１１０）の底部を形成しており、
電池（１２０）の前面（１２１）には、電池（１２０）の内部圧力に応じて開放される電池圧力弁（１２２）が設けられており、
電池（１２０）および電池設置部（１３０）と、電池（１２０）の前面（１２１）と対向するケース（１１０）の壁部（１１３）との間には、所定間隔を有する隙間（１１６）が形成されており、
壁部（１１３）は、ケース（１１０）に対して着脱可能となっており、
底板部（１６０）の壁部（１１３）に対向する部位には、上側に向けて縁立てされた縁立て部（１６１）が形成されていることを特徴としている。
【０００９】
この発明によれば、電池（１２０）の下端面の位置を、脚部（１５０）の長さに相当する分だけ床面（１５）から嵩上げすることができるので、床下浸水等による水の浸入によって電池（１２０）が水中に浸り、破損してしまうことを防止できる。
【００１０】
このとき、複数の脚部（１５０）の上下方向の中間部は、底板部（１６０）によって水平方向に互いに接続されている。よって、複数の脚部（１５０）の中間部を底板部（１６０）によって互いに支持することができるので、複数の脚部（１５０）全体の剛性を高めることができ、複数の脚部（１５０）の間が拡がったり狭くなったりするような変形の発生を抑制して、充分な強度を確保することができる。
また、電池（１２０）を使用する上で何らかの条件で内部圧力が上昇して、電池圧力弁（１２２）から内部の電解液等が流出するといった液漏れが発生しても、漏れた液は、電池（１２０）および電池設置部（１３０）と、ケース（１１０）の壁部（１１３）との間に形成された隙間（１１６）を通り落下して、底板部（１６０）の上に溜まることになる。よって、電池（１２０）から漏れた液がケース（１１０）の外部に流出することがない。
また、メンテナンス等でケース（１１０）の壁部（１１３）を取り外した場合であっても、底板部（１６０）の壁部（１１３）に対向する部位には、縁立て部（１６１）が形成されているので、この縁立て部（１６１）が堰の役目を果たし、底板部（１６０）の上に溜まっていた電池（１２０）の漏れ液が、ケース（１１０）の外部に流出することがない。
請求項２に記載の発明では、隙間（１１６）は、電池圧力弁（１２２）が開き、電池（１２０）内部からの液が電池（１２０）の外部に漏れた際に、液が隙間（１１６）を通過して、底板部（１６０）まで落下可能となるように形成されていることを特徴としている。
【００１１】
請求項３に記載の発明では、複数の脚部（１５０）のそれぞれは、長手方向に分割された第１脚部（１５１）と第２脚部（１５２）とからそれぞれ形成されており、
それぞれの第１脚部（１５１）と第２脚部（１５１、１５２）は、底板部（１６０）を挟むようにして底板部（１６０）に接合されていることを特徴としている。
【００１２】
この発明によれば、床面（１５）から第２脚部（１５２）、底板部（１６０）、および第１脚部（１５１）を積み上げるように組み立てて、互いに接合することで、脚部（１５０）に接続される底板部（１６０）を備える電池装置（１００）を容易に形成することができる。
【００１５】
請求項４に記載の発明では、底板部（１６０）には、電池圧力弁（１２２）からの液漏れを検出する液漏れ検出部（１７０）が設けられたことを特徴としている。
【００１６】
この発明によれば、液漏れ検出部（１７０）によって液漏れを検出することができるので、この検出結果に基づいて使用者は速やかに液漏れに対する処置を行うことができる。
【００１７】
請求項５に記載の発明では、底板部（１６０）の上面には、耐酸性マット（１６２）が設けられたことを特徴としている。
【００１８】
この発明によれば、底板部（１６０）に溜まる電池の液を耐酸性マット（１６２）によって受けることができるので、底板部（１６０）の腐食による損傷を軽減できる。
【００２１】
請求項６に記載の発明では、電池（１２０）の放電あるいは充電を制御する電気部品（１４０）を備えており、
電気部品（１４０）は、ケース（１１０）内において、電池（１２０）よりも上側に配置されていることを特徴とする。
【００２２】
この発明によれば、電池（１２０）から液が漏れても、ケース（１１０）内の電気部品（１４０）にかかることがないので、電池（１２０）の液漏れによって電気部品（１４０）が損傷してしまうのを防止できる。
【００２３】
尚、上記各手段の括弧内の符号は、後述する実施形態記載の具体的手段との対応関係を示すものである。
【図面の簡単な説明】
【００２４】
【図１】住宅内に設置される電池装置を示す模式図である。
【図２】正面から見た場合の電池装置の断面を示す断面図である。
【図３】側面から見た場合の電池装置の断面を示す断面図である。
【発明を実施するための形態】
【００２５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００２６】
（第１実施形態）
以下、第１実施形態における電池装置１００について、図１〜図３を用いて説明する。図１は住宅１０内に設置される電池装置１００を示す模式図、図２は正面から見た場合の電池装置１００の断面を示す断面図、図３は側面から見た場合の電池装置１００の断面を示す断面図である。
【００２７】
図１に示すように、電池装置１００は、施設１０内に設けられており、施設１０における各種家電機器１２への放電、および引込み線１１ａからの商用電力あるいは太陽光発電装置１３で発電された電力の充電を行う装置である。施設１０は、例えば一般の住宅を代表例としており、以下、住宅１０と呼ぶことにする。住宅１０には、分電盤１１、各種家電機器１２、太陽光発電装置１３、家庭制御装置１４、および電池装置１００等が設けられている。
【００２８】
分電盤１１は、引込み線１１ａから供給される商用電力（交流電力）を各種家電機器１２等に供給する電力系統である。各種家電機器１２は、本発明の電気機器に対応するものであり、例えばヒートポンプサイクルの冷媒としてＣＯ２を使用し、外気の熱によって湯の沸き上げを行うエコキュート（電気給湯器であり、関西電力（株）の登録商標）、家庭エアコン、冷蔵庫、テレビ、および照明等がある。尚、各種家電機器１２（各種機器のうち主にエコキュート）は、分電盤１１からの商用電力に加えて、後述する太陽光発電装置１３によって得られた電力、および電池装置１００に充電された電力によっても作動されるようになっている。
【００２９】
太陽光発電装置１３は、太陽電池によって太陽光エネルギーを電気エネルギーに直接的に変換して電力（直流電力）を得る発電部であり、得られた電力はパワーコンディショナ１３ａによって交流変換されて各種家電機器１２に供給される。あるいは太陽光発電装置１３によって得られた電力は、パワーコンディショナ１３ａを介して直流電力のまま電池装置１００に充電されるようになっている。
【００３０】
家庭制御装置１４は、各種家電機器１２、太陽光発電装置１３、および電池装置１００等を効果的に作動制御することで、使用者の要求に合致する電力授受を行うと共に、経済的な電力の使用を可能とする制御装置となっている。家庭制御装置１４は、分電盤１１、各種家電機器１２、太陽光発電装置１３（パワーコンディショナ１３ａ）、および電池装置１００と接続されており、いわゆるＨＥＭＳ（Ｈｏｍｅ  Ｅｎｅｒｇｙ  Ｍａｎａｇｅｍｅｎｔ  Ｓｙｓｔｅｍ）を形成している。
【００３１】
図２、図３に示すように、電池装置１００は、住宅１０内の床面１５の上に設置されており、ケース１１０内に、電池１２０、電池設置部１３０、および電気部品１４０等が収容されて形成されている。また、電池装置１００の電池設置部１３０の下面には、複数の脚部１５０が設けられており、各脚部１５０の中間部に底板部１６０が接続されている。
【００３２】
ケース１１０は、前後方向に扁平化された直方体の容器体である。ケース１１０において、図２中の左右両端の壁部は、それぞれ側壁部１１１、側壁部１１２となっており、図２の紙面に対して手前側の壁部（図３中の左側の壁部）は、前壁部１１３となっている。前壁部１１３は、ボルト等によってケース１１０に組付けされており、ケース１１０に対して、着脱可能となっている。前壁部１１３は、通常、装着された状態で使用されるが、初期の施工時、あるいは各種メンテナンス時等において、外されてケース１１０の前面部が開口されるようになっている。上記の前壁部１１３は、本発明における壁部に対応する。また、ケース１１０において、上側の壁部は上壁部１１４となっており、後ろ側の壁部は後壁部１１５となっている。更に、ケース１１０において、下側の壁部は底板部１６０となっている。底板部１６０の詳細については後述する。
【００３３】
電池１２０は、充電および放電が可能な直流電力用の二次電池であり、直方体を成す複数の電池パックから形成されている。複数の電池パックは、ここではケース１１０内において上下２段に分けられて、それぞれの段において１列に並ぶように配置されている。複数の電池パックは、電気的に直列に接続されている。電池１２０の前面１２１には、電池１２０の内部圧力に応じて開放される電池圧力弁１２２が設けられている。つまり、電池圧力弁１２２は、通常は閉じられており、電池１２０の内部圧力が予め定められた所定圧力値を超えると開く（開放される）ようになっている。
【００３４】
電池設置部１３０は、ケース１１０内の上下方向の中間部において、側壁部１１１、１１２間を接続すると共に、平面部が水平となるように配置された板状部材として形成されている。電池設置部１３０は、上記のように２段に分けられた電池１２０に対応するように、上下方向に隔てられて２つ設けられている。それぞれの電池設置部１３０の上側に、上下２段に分けられたそれぞれの電池１２０が置かれている。更に、電池１２０は、図示しないブラッケット等によって、ケース１１０、あるいは電池設置部１３０に強固に固定されている。
【００３５】
上記電池１２０、および電池設置部１３０の前後方向の寸法は、ケース１１０の前後方向の寸法よりも小さく設定されており、特に、電池圧力弁１２２が形成される電池１２０の前面１２１および電池設置部１３０の前端部と、これらと対向するケース１１０の前壁部１１３の内面との間には、所定間隔を有する隙間部１１６が形成されるようになっている。隙間部１１６における所定間隔というのは、電池１２０の電池圧力弁１２２が開き、電池１２０内部からの液が電池１２０の外部に漏れた際に、漏れた液が隙間部１１６を通過して、後述する底板部１６０まで落下可能となる隙間である。隙間部１１６の寸法は、例えば３０〜８０ｍｍ程度に設定されている。隙間部１１６は、本発明の隙間に対応する。
【００３６】
電気部品１４０は、電池１２０に対する充放電の制御を行う機器である。電気部品１４０は、例えば、電力系統からの交流電力を直流電力に変換して電池１２０に充電する、あるいは電池１２０の直流電力を交流電力に変換して各種家電機器１２に放電するためのインバータや、このインバータの作動を制御する制御部等である。電気部品１４０は、ケース１１０内において、電池１２０の上側に配設されている。即ち、ケース１１０内において、電池１２０の最上端部とケース１１０の上壁部１１４との間には、空間部が形成されており、電気部品１４０は、この空間部に配設されている。
【００３７】
２つの電池設置部１３０のうち、下側となる電池設置部１３０の下面には、床面１５に向けて延びて、電池設置部１３０を支える複数の脚部１５０が設けられている。そして、複数の脚部１５０のそれぞれの長手方向の中間部には、ケース１１０の底部を成し水平方向に配置された底板部１６０が接続されている。
【００３８】
複数の脚部１５０は、それぞれ第１脚部１５１、第２脚部１５２、および基板１５３を備えている。複数の脚部１５０は、ここでは、３つの脚部１５０としており、３つのうち２つは、電池装置１００の正面から見た場合の左右両端側に配置され、残りの１つは中央部に配置されている。
【００３９】
各第１脚部１５１は、ブロック状の部材となっており、上下方向の寸法は、下側となる電池設置部１３０の下面から底板部１６０の上面に至る寸法に設定されている。各第１脚部１５１の上端面は、電池設置部１３０の下面に接合されている。そして、各第１脚部１５１の下端面は、底板部１６０の上面に接合されている。
【００４０】
底板部１６０は、ケース１１０の底部を形成する板状の壁部である。底板部１６０の平面部の面積は、ケース１１０の水平方向断面の面積と等しく設定されている。底板部１６０の外周部には、上側に向けて縁立てされた縁立て部１６１が形成されている。底板部１６０において、側壁部１１１、１１２、および後壁部１１５と対向する縁立て部１６１の外側面は、側壁部１１１、１１２、および後壁部１１５の内面に当接して接合されている。前壁部１１３は、ケース１１０に対して着脱可能となっていることから、底板部１６０において、前壁部１１３と対向する縁立て部１６１の外側面は、前壁部１１３の内面に当接している。
【００４１】
更に、各第２脚部１５２は、各第１脚部１５１と同様に、ブロック状の部材となっており、上下方向の寸法は、各第１脚部１５１と同等寸法、あるは少し長い寸法に設定されている。各第２脚部１５２の上端面は、底板部１６０の下面に接合されている。よって、各第１脚部１５１と第２脚部１５２は、底板部１６０を挟むようにして底板部１６０に接合されている。更に、各第１脚部１５１と第２脚部１５２は、上下方向に延びる軸線が同一線上に一致するように配置されており、第１脚部１５１と第２脚部１５２は、あたかも１本の脚部のごとく形成されている。そして、各第２脚部１５２の下端面は、ケース１１０の水平方向断面の面積と同等の面積を備える平板状の基板１５３に接合されている。
【００４２】
脚部１５０の上下方向の寸法Ａは、３５０〜４５０ｍｍ程度に設定されている。また、床面１５から底板部１６０の下面までの寸法Ｂは、２００〜２５０ｍｍ程度に設定されている。つまり、電池１２０の下端位置は、寸法Ａと電池設置部１３０の板厚とを加えた寸法分だけ、床面１５から嵩上げされている。
【００４３】
底板部１６０の上面には、この上面全体に渡って、硫酸や硝酸等の酸に対する耐酸性を備える耐酸性マット１６２が設けられている。更に、耐酸性マット１６２の上側には、電池１２０の内部から漏れた液を検出する液漏れ検出部１７０が設けられている。液漏れ検出部１７０は、例えばセンサケーブル等が使用されて、表面に付着する酸を検出すると、ブザーや音声等によって使用者への警告を行うようになっている。液漏れ検出部１７０としてセンサケーブルが使用される場合、センサケーブルは、例えば底板部１６０の左右方向に渡って配置されるように取り回しされると良い。
【００４４】
次に、上記構成に基づく電池装置１００の作動および作用効果について説明する。
【００４５】
住宅１０においては、各種家電機器１２を使用する際には、電力系統からの電力（以下、系統電力）、太陽光発電装置１３によって得られた電力（以下、発電電力）、あるいは電池装置１００に充電された電力（以下、充電電力）が使用される。家庭制御装置１４は、系統電力の使用時間帯が安価な時間帯であるか否か、太陽光発電装置１３によって得られた発電電力量が充分にあるか否か、更には電池装置１００における充電電力量が充分にあるか否か等により、最も経済的な電力、あるいは電力の組み合わせを選択して、各種家電機器１２に電力供給する。
【００４６】
例えば、家庭制御装置１４は、上記各種家電機器１２を使用する際に、発電電力を用いる場合に、発電電力が余剰となって、更に電池装置１００の充電量がフル状態でなければ、余剰電力を電池装置１００に充電する。このとき、電気部品１２（インバータ）によって必要な電力変換（交流−直流変換）がなされて、充電が行われる。
【００４７】
また、家庭制御装置１４は、上記各種家電機器１２を使用する際に、消費電力量が大きく、系統電力および発電電力が不足する場合に、電池装置１００に充電電力があれば、電池装置１００から各種家電機器１２に放電する。このとき、電気部品１２（インバータ）によって必要な電力変換（直流−交流変換）がなされて、放電が行われる。
【００４８】
ここで、電池装置１００においては、通常、住宅１０の床面１５に設置される。住宅１０においては大雨による床下浸水時、あるいは大雪による積雪時等の電池１２０への水の浸入による破損防止を考慮しておく必要がある。
【００４９】
これに対して、本実施形態では、電池１２０が置かれる電池設置部１３０の下面から床面１５に延びる複数の脚部１５０を設けるようにしている。よって、電池１２０の下端面の位置を、脚部１５０の長さに相当する分だけ床面１５から嵩上げすることができるので、床下浸水や積雪等による水の浸入によって電池１２０が水中に浸り、破損してしまうことを防止できる。
【００５０】
このとき、複数の脚部１５０の上下方向の中間部は、底板部１６０によって水平方向に互いに接続されている。よって、複数の脚部１５０の中間部を底板部１６０によって互いに支持することができるので、複数の脚部１５０全体の剛性を高めることができ、複数の脚部１５０の間が拡がったり狭くなったりするような変形の発生を抑制して、充分な強度を確保することができる。
【００５１】
また、脚部１５０は、第１脚部１５１と第２脚部１５２とから形成されるようにして、第１脚部１５１と第２脚部１５２は、底板部１６０を挟むようにして接合されるようにしている。よって、床面１５から第２脚部１５２、底板部１６０、および第１脚部１５１を積み上げるように組み立てて、互いに接合することで、脚部１５０に接続される底板部１６０を備える電池装置１００を容易に形成することができる。
【００５２】
また、底板部１６０は、ケース１１０の底部を形成しており、電池１２０に電池圧力弁１２２を備えるものにおいて、ケース１１０内において、隙間部１１６を設けるようにしている。電池１２０を使用する上で誤使用や過充電等によって、電池１２０の内部圧力が上昇して、予め定めた所定圧力を超えると、電池１２０の損傷を回避するために電池圧力弁１２２が開く。すると、電池圧力弁１２２から内部の電解液等が電池１２０の外部に漏れることとなるが、漏れた液は、隙間部１１６を通り落下して、底板部１６０に溜まることになる。よって、電池１２０から漏れた液がケース１１０の外部に流出することがない。
【００５３】
更に、前壁部１１３はケース１１０に対して着脱可能となっており、底板部１６０の前壁部１１３に対向する部位には、縁立て部１６１を形成するようにしている。よって、メンテナンス等でケース１１０の前壁部１１３を取り外した場合であっても、縁立て部１６１が堰の役目を果たすので、底板部１６０の上に溜まっていた電池１２０の漏れ液が、ケース１１０の外部に流出することがない。
【００５４】
また、底板部１６０の上面に液漏れ検出部１７０を設けるようにしているので、液漏れ検出部１７０によって液漏れを検出することができ、この検出結果に基づいて使用者は速やかに液漏れに対する処置を行うことができる。尚、液漏れ検出部１７０として、例えばセンサケーブルを用いて、このセンサケーブルを底板部１６０の左右方向に渡って配置されるように取り回すことで、液漏れの検出領域を拡大することができるので、検出精度を上げることができる。
【００５５】
また、底板部１６０の上面に耐酸性マット１６２を設けるようにしているので、底板部１６０に溜まる電池の液を耐酸性マット１６２によって受けることができ、底板部１６０の腐食による損傷を軽減できる。
【００５６】
また、ケース１１０内において、電気部品１４０を電池１２０よりも上側に配置するようにしているので、電池１２０から液が漏れても、ケース１１０内の電気部品１４０にかかることがなく、電池１２０の液漏れによって電気部品１４０が損傷してしまうのを防止できる。
【００５７】
（その他の実施形態）
上記第１実施形態では、脚部１５０は、第１脚部１５１と第２脚部１５２とを備え、底板部１６０を挟むようにして接合されるものとしたが、これに限定されるものでは無い。即ち、第１脚部１５１と第２脚部１５２とを一体で形成した脚部１５０とし、底板部１６０に貫通孔を設け、脚部１５０をこの貫通孔に通し、貫通孔の内周面と脚部１５０の外周面とで当接する部位を互いに接合するようにしても良い。
【００５８】
また、脚部１５０における基板１５３は、必要に応じて設定すれば良く、廃止しても良い。
【００５９】
また、脚部１５０の長さ、即ち、床面１５から電池１２０の下端位置までの寸法は、３５０〜４５０ｍｍに限定されるものではなく、住宅１０周辺にて発生し得る床下浸水等における予測浸水水位に応じて設定すれば良い。
【００６０】
また、底板部１６０における縁立て部１６１は、底板部１６０の全周に設ける必要は無く、少なくとも着脱可能とした前壁部１１３と対向する辺部に設けるようにすれば良い。また、底板部１６０の全周が、ケース１１０の内面に接合されるものの場合は、縁立て部１６１は、廃止しても良い。
【００６１】
また、本電池装置１００は、一般の住宅１０に設置されるものとして説明したが、広く、公共の施設に設置される電池装置にも適用できる。
【符号の説明】
【００６２】
１１  分電盤（電力系統）
１１ａ  引込み線（電力系統）
１２  各種家電機器（電気機器）
１３  太陽光発電装置（発電部）
１００  電池装置
１１０  ケース
１１３  前壁部
１１６  隙間部（隙間）
１２０  電池
１２１  前面
１２２  電池圧力弁
１３０  電池設置部
１４０  電気部品
１５０  脚部
１５１  第１脚部
１５２  第２脚部
１６０  底板部
１６１  縁立て部
１６２  耐酸性マット
１７０  液漏れ検出部
【図１】
0005594179.tif 000002
【図２】
0005594179.tif 000003
【図３】
0005594179.tif 000004